(57)【要約】【課題】  本発明は、筒体の流入口にジェット水流発生手段を設け、このジェット水流によって各種のセラミックボールを激しく衝突させて多量のマイナスイオンや遠赤外線を放射させる活水器を提供することを目的とするものである。【解決手段】  本発明は、その両端に入水口および出水口が設けられる筒状のケース本体１と、該ケース本体１内に空隙を持って収容されるマイナスイオン放射セラミックス１３および遠赤外線放射セラミックス１５並びに麦飯石セラミックス１６と、前記入水口に設けられるジェットノズル部１１を備えた構成とする。【選択図】      図７
2005205352.tif 000002
【特許請求の範囲】
【請求項１】
その両端に入水口および出水口が設けられる筒状のケース本体と、
該ケース本体内に空隙を持って収容されるマイナスイオン放射セラミックスおよび遠赤外線放射セラミックス並びに麦飯石セラミックスと、
前記入水口に設けられるジェットノズルを備える
ことを特徴とする活水器。
【請求項２】
前記ケース本体の内径が、入水口に接続される給水管の内径の３倍以下とした
ことを特徴とする請求項１記載の活水器。
【発明の詳細な説明】
【技術分野】
【０００１】
本発明は活水器に関する。詳しくは水流を利用して各種セラミックスボール同士の衝撃により水をイオン化して活性化させることで水質の改善を行う活水器に係るものである。
【背景技術】
【０００２】
従来円筒体内にセラミックスボールを充填した活水器を水道配管に介装する技術が知られており、この種の活水器として例えば、図８に示すように、ケース１０１内に多数の通孔１０２が形成された二以上の受板１０３をケース１０１の軸方向に間隔を設けて配置し、受板１０３はケース１０１内に水が流通するとその水流によってケース１０１内を上昇し、流通が停止すると降下するように移動可能に配置され、受板１０３の上に遠赤外線を放射可能な活性体１０４を水流により昇降可能なるように設けた。これにより、ケース１０１内に水を流通させて活性体１０４を振動させ、活性体１０４から放出される遠赤外線により水をイオン化して活性化させる構成とするものである（例えば、特許文献１参照。）。
【０００３】
また、図９に示すように、水道配管に介装できるステンレス筒体１０５の内側に各種水の改質物１０６を収容した複数のステンレス円筒１０７の両側開口端を多数の通水孔が穿孔されるキャップ１０８によって嵌挿固定し、これらのステンレス円筒１０７間にスプリング１０８を設けて、ステンレス筒体１０５内に流入する水流により改質物１０６は加圧状態で、かつ可動する構成とするものである（例えば、特許文献２参照。）。
【０００４】
【特許文献１】特開平１１−９０４１８号（要約書、第１図）
【０００５】
【特許文献２】特開２００１−５８１９１号（実施例１、第１図）
【発明の開示】
【発明が解決しようとする課題】
【０００６】
前記特許文献１における活水器ではケース１０１内に流入する水流によって受板１０３が昇降すると活性体１０４も昇降して大きく振動するため多くの遠赤外線が放出される作用を得ることができる。
また、前記特許文献２における活水器ではスプリング１０８により改質物１０６は加圧状態とされ、水の流動抵抗により一定の接触圧を保ちつつ微動することにより多くの遠赤外線が放出されるものである。
【０００７】
従って水流によって遠赤外線を放射するセラミックスボールを振動させることで多くの遠赤外線を放射させるという点において両者は共通するものである。
【０００８】
しかしながら筒状ケースの直径は、水道管の約３倍であり、断面面積では約９倍であることから水道管からケース内に流れ込む水の流速は一気に低下することとなる。従って水流によって受板を大きく昇降させてセラミックボールを振動させるには非常に困難である問題が生じる。
【０００９】
また、トルマリンなどの電気石からマイナスイオンを発生させるには、水流によって互いを激しく衝突させる必要があり、特許文献１のように受板を昇降させて振動させる機構ではあまり効果を得ることができない問題がある。
【００１０】
更に、特許文献２のようにセラミックボール同士を密着させた状態で加圧し、微動を付与させる機構ではトルマリンなどの電気石からマイナスイオンを発生させる効果を得ることができない問題がある。
【００１１】
本発明は、以上の点に鑑みて創案されたものであって、筒体の流入口にジェット水流発生手段を設け、このジェット水流によって各種のセラミックボールを激しく衝突させて多量のマイナスイオンや遠赤外線を放射させる活水器を提供することを目的とするものである。
【課題を解決するための手段】
【００１２】
上記の目的を達成するために、本発明に係る活水器は、その両端に入水口および出水口が設けられる筒状のケース本体と、該ケース本体内に空隙を持って収容されるマイナスイオン放射セラミックスおよび遠赤外線放射セラミックス並びに麦飯石セラミックスと、前記入水口に設けられるジェットノズルを備える。
【００１３】
ここで、ケース本体内に空隙を持ってマイナスイオン放射セラミックスおよび遠赤外線放射セラミックス並びに麦飯石セラミックスを収納することにより、これら各種セラミックスは水流によってケース本体内で激しく掻き混ぜられて衝突し、その衝撃でマイナスイオン、遠赤外線およびミネラル成分を溶出し、高品質の活性水を精製する。
【００１４】
また、ケース本体の入水口にジェットノズルを設けることにより、ケース本体内に流速・水圧を低下させることなく水を流入させることが可能となる。
【００１５】
更に、ケース本体の内径が、入水口に接続される給水管の内径の３倍以下とされることにより、ジェットノズルとの併用によりケース本体内の全域に均一な水流・水圧を維持することが可能となる。
【００１６】
また、マイナスイオン放射セラミックスとは、水流による衝撃や互いが衝突し合うことでマイナスイオンを発生するトルマリンなどの電気石を１，２００℃の高温で焼成してボール状に形成したものである。
遠赤外線放射セラミックスとは、シリカ・アルミナ・マグネシア・酸化チタン・酸化鉄等の複合体を１，２５０℃の高温で焼成してボール状に形成したものである。
麦飯石セラミックスとは、麦飯石を１，０５０℃の高温で焼成してボール状に形成したものである。
【発明の効果】
【００１７】
この発明によれば、ジェットノズルより噴出される水流によってマイナスイオン放射セラミックスおよび遠赤外線放射セラミックス並びに麦飯石セラミックスが激しく掻き混ぜられることで多量のマイナスイオンと遠赤外線が放射されると共に、ミネラル成分が溶出し、このマイナスイオンによって界面活性力と還元力が、遠赤外線によって大きな分子塊を細分化し、細胞に吸収されやすい活性機能水が、ミネラル成分によってまろやかでおいしい天然の地下水に近い活性水が精製されることになる。
【００１８】
また、本発明の活水器をボイラー配管に介装することにより、ボイラーのフインチューブ管内は、活性水による界面活性効果により赤サビを抑制し燃焼率の向上と、給水機器の故障を防ぎ、耐久性を高める効果を奏する。
【発明を実施するための最良の形態】
【００１９】
以下、本発明の実施の形態を図面を参酌しながら説明し、本発明の理解に供する。
図１は、本発明を適用した活水器の一例を示す一部断面説明図、図２は図１における出水口の拡大断面説明図、図３は、図１における入水口の拡大断面説明図、図４は、図１におけるジェットノズル部の拡大断面説明図、図５は、図４における平面説明図である。
【００２０】
ここで示す活水器は、ステンレス製より成る筒状のケース本体１の開口部外周面に雄ネジ部２がそれぞれ周設される。そしてこの雄ネジ部２に、その内周面に雌ネジ部３が周設される入水口側キャップ部４および出水口側キャップ部５をそれぞれ螺着することでケース本体１の開口端に入水口側キャップ部４および出水口側キャップ部５が装着されることとなる。
【００２１】
そこで図２に示すように、出水口側キャップ部５の先端開口部６の外周面には雄ネジ部２が周設され、この雄ネジ部２に、その内面に雌ネジ部３が周設された連結用ナット部７が螺着されるものである。
【００２２】
更に、連結用ナット部７には、その内周に雌ネジ部３が周設される水道管接続用ナット部８を出水口側キャップ部５の先端開口部６端との間にパッキン９を介した状態で係着するものである。
また、出水口側キャップ部５内にはセラミックス防出ネット１０が張設された構成とするものである。
【００２３】
次に図３に示すように、入水口側キャップ部４の先端開口部６の外周面には雄ネジ部２が周設され、この雄ネジ部２に、その内面に雌ネジ部３が周設された連結用ナット部７が螺着され、更にその内周に雌ネジ部３が周設される水道管接続用ナット部８を入水口側キャップ部４の先端開口部６端との間にパッキン９を介した状態で係着するものである。
【００２４】
そこで入水口側キャップ部４の先端開口部６の内周面には雌ネジ部３が周設され、この雌ネジ部３に対して、その外周面に雄ネジ部２が周設される円筒状のジェットノズル部１１を螺着する構成とするものである。
【００２５】
このジェットノズル部１１は図４および図５に示すように、ケース本体１内へ向けてその放出口１２が順次狭窄状となるように縮径されている。そして放出口１２にセラミック防出ネット１０が張設された構成とするものである。
【００２６】
次にマイナスイオン放射セラミックスおよび遠赤外線放射セラミックス並びに麦飯石セラミックスをケース本体内に充填する工程を図６に示すものであり、例えばケース本体１に出水口側キャップ部５を装着し、開口状とされるケース本体１の入水側より麦飯石セラミックス１６を投入した後に、ネット仕切板１４を装入し、次に遠赤外線放射セラミックス１５を投入した後にネット仕切板１４を装入し、更にマイナスイオン放射セラミックス１３をケース本体１の開口端まで投入し、入水口側キャップ部４およびジェットノズル部１１を装着するものである。
【００２７】
従ってケース本体１の開口端から入水口側キャップ部４内に取り付けられるジェットノズル部１１に張設されるセラミックス防出ネット１０との間に空隙Ａが生じることとなり、この空隙Ａによってジェットノズル部１１から噴射される水流によってケース本体１内に収容されるマイナスイオン放射セラミックス１３に衝撃を与えると共に、遠赤外線放射セラミックス１５並びに麦飯石セラミックス１６は水流によって自由に動き回れる状態となる。
【００２８】
そこで図７に示すように、本発明の活水器を水道配管に介装すべく水道管１７の水の流出側を入水口側キャップ部４の水道管接続用ナット部８に接続し、出水口側キャップ部５の水道管接続用ナット部８には蛇口やボイラーなどの設備側へ配管される水道管１７に接続するものである。
【００２９】
このようにして接続された本発明の活水器では、入水口側キャップ部４内へ流入する水はジェットノズル部１１によって流速・水圧が高められてケース本体１内へ噴射される。このジェット水流によってマイナスイオン放射セラミックス１３が激しく掻き混ぜられ互いに衝突し合うことによって多量のマイナスイオンが発生する。
【００３０】
次にマイナスイオン放射セラミックス１３を通過する水流は幾分流速・水圧が低下するが遠赤外線放射セラミックス１５が充分に掻き混ぜるだけの流速および水圧を維持することが可能となり効率良く遠赤外線を放射する。
【００３１】
更に、遠赤外線セラミックス１５を通過する水流は、一段と流速・水圧が低下するものであるが、麦飯石セラミックス１６は水流によって晒されることになり天然由来の豊富なミネラル成分を溶出することになる。
【００３２】
また、ケース本体１の内径が、入水口側キャップ部４に接続される水道管の内径の３倍以下（本実施例では２．７倍以下）とすることにより、ジェットノズル部１１より噴出される水流は、ケース本体１の内径断面積に広がりケース本体１内に均一な水流・水圧を生起させることが可能となる。
【００３３】
本発明の活水器では、マイナスイオンによって界面活性力と還元力を持った水に活性し、遠赤外線によって水分子構造を細分化して解離することで、水中の塩素、悪臭の原因をイオン化し水質が改善される。
更にミネラル成分によってまろやかでおいしい自然の地下湧水に近い水の精製が可能となる。
【図面の簡単な説明】
【００３４】
【図１】本発明を適用した活水器の一例を示す断面説明図である。
【図２】本発明を適用した活水器の出水口側の拡大断面説明図である。
【図３】本発明を適用した活水器の入水口側の拡大断面説明図である。
【図４】本発明を適用した活水器のジェットノズル部の拡大断面説明図である。
【図５】図４における平面説明図である。
【図６】本発明を適用した活水器にマイナスイオン放射セラミックスおよび遠赤外線放射セラミックス並びに麦飯石セラミックスをケース本体内に充填する状態を示す説明図である。
【図７】本発明の活水器の使用状態を示す説明図である。
【図８】従来の特許文献１における活水器の説明図である。
【図９】従来の特許文献２における活水器の説明図である。
【符号の説明】
【００３５】
１      ケース本体
２      雄ネジ部
３      雌ネジ部
４      入水口側キャップ部
５      出水口側キャップ部
６      先端開口部
７      連結用ナット部
８      水道管接続用ナット部
９      パッキン
１０    セラミックス防出ネット
１１    ジェットノズル部
１２    放出口
１３    マイナスイオン放射セラミックス
１４    ネット仕切板
１５    遠赤外線放射セラミックス
１６    麦飯石セラミックス
【図１】
2005205352.tif 000003
【図２】
2005205352.tif 000004
【図３】
2005205352.tif 000005
【図４】
2005205352.tif 000006
【図５】
2005205352.tif 000007
【図６】
2005205352.tif 000008
【図７】
2005205352.tif 000009
【図８】
2005205352.tif 000010
【図９】
2005205352.tif 000011